(57)【要約】【課題】光触媒とこれに励起光を照射する光源とを備えたセルフクリーニングタイプの温風乾燥機において、光源に吸い込み風が衝突することによる風切り音の発生を防いで、静音化を図る。【解決手段】ファンケース３６に装着孔８９を内外貫通状に設け、この装着孔８９に光源８０を装着する。この装着状態において、ファンブレード３４ｂに臨む光源８０の発光部８６の先端面８６ａが、装着孔８９まわりのファンケース３６の内壁面３６ａと面一状となるようにする。これにて、光源８０の発光部８６にファン３４で吸い込まれた風が衝突して乱流が発生することを阻止し、静音化を図る。【選択図】図１
2006305084.tif 000002
【特許請求の範囲】
【請求項１】
吹出口（２７）と吸込口（２６）とを備える本体ケース（１）内の通風路（Ｒ）に、送風ユニット（３）とヒーター（５）とが配置されている温風乾燥機であって、
送風ユニット（３）は、送風用のファン（３４）と、ファン駆動用のモーター（３５）と、これらファン（３４）およびモーター（３５）を収容するファンケース（３６）とを含み、
ファン（３４）の少なくともファンブレード（３４ｂ）の表面には、光触媒（Ｃ）が設けられており、
光触媒（Ｃ）に向かって励起光を照射する光源（８０）が、ファンケース（３６）に内外貫通状に設けた装着孔（８９）に装着されており、
ファンブレード（３４ｂ）に臨む光源（８０）の発光部（８６）の先端面（８６ａ）が、装着孔（８９）の内周縁まわりのファンケース（３６）の内壁面（３６ａ）と面一状に設定されていることを特徴とする温風乾燥機。
【請求項２】
前記光源（８０）が、ファンブレード（３４ｂ）に近接対向している請求項１記載の温風乾燥機。
【請求項３】
ファン（３４）が、軸流型のファンであり、
複数個の光源（８０）が、ファン（３４）の回転軸（８５）の軸心方向に位置ずれ状態で配設されている請求項２記載の温風乾燥機。
【請求項４】
複数個の光源（８０）が、回転軸（８５）の軸心方向に沿うファンブレード（３４ｂ）の存在領域に配設してある請求項３記載の温風乾燥機。
【請求項５】
基板（８２）上に複数個の光源（８０）を実装した光源ユニット（８１）が、ファンケース（３６）に装着されている請求項３または４記載の温風乾燥機。
【請求項６】
光源（８０）は、その先端から励起光を照射する柱状の発光部（８６）と、この発光部（８６）の基端側に張り出し形成された鍔部（８７）とを含み、
装着孔（８９）内に発光部（８６）を差し込み装填したうえで、光源ユニット（８１）の基板（８２）をファンケース（３６）の外面にビス止め固定することにより、鍔部（８７）を装着孔（８９）の外周縁で受け止めて装着孔（８９）への発光部（８６）の差し込み限界を規制するとともに、基板（８２）で該鍔部（８７）をファンケース（３６）の外面に押し付けてある請求項５記載の温風乾燥機。
【請求項７】
本体ケース（１）が、左右一対の半割り型の分割ケース（１ａ・１ｂ）を突き合わせ状に結合してなり、
左右いずれかの分割ケース（１ａ・１ｂ）に、ファンケース（３６）が固定されている請求項１記載の温風乾燥機。
【請求項８】
両分割ケース（１ａ・１ｂ）が、これの後方から外嵌装着した規制リング（２５）で不離一体的に接合されている請求項７記載の温風乾燥機。
【請求項９】
両分割ケース（１ａ・１ｂ）が、これの前方から外嵌装着した筒状の前ケース（２３）で不離一体的に接合されている請求項７または８記載の温風乾燥機。
【請求項１０】
前ケース（２３）が透明プラスチック材で成形されており、該前ケース（２３）の内面に装飾シート（３３）が配置されている請求項９記載の温風乾燥機。
【発明の詳細な説明】
【技術分野】
【０００１】
本発明は、吹出口と吸込口とを有する本体ケース内の通風路に、送風ユニットとヒーターとが配されている温風乾燥機に関する。本発明に係る温風乾燥機は、ヘアードライヤー（ブロッサーを含む）のほか、洗面用のハンドドライヤー、足用のドライヤー、ボディドライヤー、ペット用のドライヤーなどに適用できる。
【背景技術】
【０００２】
本発明では、有機物を分解し、あるいは菌類を殺菌するために、温風乾燥機の本体内部に光触媒と、光触媒を励起する光源とを備えた形式を採る。このように光触媒作用を利用して殺菌を行う機器は、特許文献１、２に公知である。
【０００３】
特許文献１では、電気かみそりを適用対象にして、かみそりヘッドの毛屑室に臨む部品の表面に光触媒膜を設けて、各部品の表面に付着の毛屑や皮脂の酸化、および腐敗を防止し、あるいは雑菌などを殺菌できるようにしている。
【０００４】
特許文献２では、水洗後の手を乾燥するためのハンドドライヤーにおいて、その透明ケースと、ケース内部の送風ファンとに、それぞれ光触媒層が形成されている。ハンドドライヤーは、光触媒を励起させる光源を内蔵しておらず、これが設置される室内の照明機器を励起用の光源としている。
【０００５】
【特許文献１】特開平１１−２１６２７６号公報（段落番号００３８、図１）
【特許文献２】特開２００１−３６１号公報（段落番号００２０、図１）
【発明の開示】
【発明が解決しようとする課題】
【０００６】
室内空気に含まれる花粉、ダニの死骸、かび、雑菌などのアレルゲンや、空気中に含まれるちり、ほこり、ペットの動物の毛、繊維屑などのマイクロダストによって、各種のアレルギー疾患を生じることが問題となっている。特許文献１、２の電気機器によれば、機器内部の部品に付着の有機物などを光触媒で分解し、あるいは雑菌類を殺菌できるので、アレルギー疾患の発症を阻止するに有利である。
【０００７】
しかし、ヘアードライヤーなどの温風乾燥機においては、ファンの送風効率を高める必要上、吸込口は通風抵抗を小さくする必要があり、例えばパンチングメタル製のグリルで覆う程度であって、殆ど防塵機能を備えていない。そのため、ドライヤー本体の内部に酸化触媒を配置しても、吸い込み空気に含まれる繊維屑、髪の毛、あるいはマイクロダストなどが送風ファンのブレードや、風導内壁、あるいは整流翼などに付着して堆積しやすく、酸化触媒の表面これ自体が堆積層で覆われてしまい、却って堆積層にアレルゲンが捕捉される。
【０００８】
このように、通風路の内部にアレルゲンやマイクロダストが堆積すると、酸化触媒による殺菌作用や、有機物の分解作用が著しく低下するし、堆積物と接触した埃くさい空気や、腐敗臭を伴う空気が乾燥風として送給されるのを避けられない。温風乾燥機を長期間使用すると、結果的にアレルゲンやマイクロダストが繰り返し頭部等に吹き付けられることになり、アレルギー症を誘発する一因にすらなるおそれがある。こうした状況に対処するには、乾燥機本体を分解して堆積物を除去すればよいが、一般ユーザーにとって分解して清掃したのち、正しく組み直すことは難しく、この種の機器の分解清掃をユーザーに依存することには無理がある。
【０００９】
上記の問題を解決する手段として、温風乾燥機のファンの表面に光触媒を設けるとともに、この光触媒に対して励起光を照射する光源を組み付けることを検討した。これによれば、光源からの励起光で光触媒を励起し、その酸化還元反応によって有機物を分解し、雑菌類を殺菌できるので、ファンを清潔な状態に維持して衛生的にクリーンな乾燥風を吹き出し供給できる。
【００１０】
上述のような光触媒と励起用の光源とを備えたセルフクリーニングタイプの温風乾燥機では、光源はファンに近接対向する位置に、具体的には通風路内に配設することになる。より高エネルギーの励起光を光触媒に照射し、有機物に対する分解能等効果的に発揮させるためである。しかし、通風路内に光源を配設すると、ファンで吸い込まれた風が光源に衝突して乱流が生じ、風切り音に由来する騒音が問題になる。
【００１１】
本発明の目的は、光触媒とこれに励起光を照射する光源とを備え、光触媒に由来する酸化還元反応により、本体内部を清潔な状態に維持できるセルフクリーニングタイプの温風乾燥機を提供するにある。そのうえで、本発明の目的は、かかるセルフクリーニングタイプの温風乾燥機において、ファンに近接対向して光源を設けた場合でも、該光源に吸い込み風が衝突することに由来する風切り音が発生し難く、したがって静音性に富んだ温風乾燥機を提供することにある。
【課題を解決するための手段】
【００１２】
本発明は、図２に示すごとく、吹出口２７と吸込口２６とを備える本体ケース１内の通風路Ｒに、送風ユニット３とヒーター５とが配置されている温風乾燥機である。送風ユニット３は、図１に示すごとく送風用のファン３４と、ファン駆動用のモーター３５と、これらファン３４およびモーター３５を収容するファンケース３６とを含み、ファン３４の少なくともファンブレード３４ｂの表面に、光触媒Ｃが設けられている。そのうえで、光触媒Ｃに向かって励起光を照射する光源８０が、ファンケース３６に内外貫通状に設けた装着孔８９内に装着されている。この装着状態において、図１および図６に示すごとく、ファンブレード３４ｂに臨む光源８０の発光部８６の先端面８６ａが、装着孔８９の内周縁まわりのファンケース３６の内壁面３６ａとほぼ面一状になるように設定したことを特徴とする。
【００１３】
ここで言う「面一状」とは、要は先端面８６ａと内壁面３６ａとが実質的に段差の無い状態であることを意味し、先端面８６ａの形状は問わない。つまり、発光部８６の先端面８６ａは、図示例のように僅かに凹ませた形態に限られず、フラット面や僅かに膨らんだ形態であってもよく、図示例のように、発光部８６の先端面８６ａをファンケース３６の内壁面３６ａと同一の曲率半径を以て僅かにＲ状に凹ませた形態が最適である。光触媒Ｃの具体例としては、酸化チタン、酸化亜鉛、酸化タングステン、酸化セリウム等の金属酸化物粒子を挙げることができる。
【００１４】
図１において光源８０は、ファンブレード３４ｂに近接して対向するよう配する。そのファン３４としては、軸流型のファンを用い、ファン３４の回転軸８５の軸心方向に位置ずれ状態で複数個の光源８０を配設することが望まれる。
【００１５】
その場合、複数個の光源８０は、図１に示すごとく、回転軸８５の軸心方向に沿うファンブレード３４ｂの存在領域に配設する。
【００１６】
更に具体的には、基板８２上に複数個の光源８０を実装した光源ユニット８１を用意し、この光源ユニット８１をファンケース３６に装着する。
【００１７】
先の光源ユニット８１において、光源８０は、その先端から励起光を照射する柱状の発光部８６と、この発光部８６の基端側に張り出し形成された鍔部８７とを含み、装着孔８９内に発光部８６を差し込み装填したうえで、光源ユニット８１の基板８２をファンケース３６の外面にビス止め固定することにより、鍔部８７を装着孔８９の外周縁で受け止めて装着孔８９への差し込み限界を規制するとともに、基板８２で該鍔部８７をファンケース３６の外面に押し付ける。
【００１８】
本体ケース１の前後に吹出口２７と吸込口２６を有するとき、光源８０は、図１に示すごとく、ファンケース３６の左側または右側に設けることができる。すなわち、本体ケース１は、左右一対の半割り型の分割ケース１ａ・１ｂを突き合わせ状に結合してなり、左右いずれかの分割ケース１ａ・１ｂに、ファンケース３６を固定する。
【００１９】
本体ケース１は、両分割ケース１ａ・１ｂの後方から規制リング２５を外嵌装着することで、両分割ケース１ａ・１ｂを不離一体的に接合できる。更に、本体ケース１は、両分割ケース１ａ・１ｂの前方から筒状の前ケース２３を外嵌装着することで、両分割ケース１ａ・１ｂを不離一体的に接合することができる。
【００２０】
図３において前ケース２３は、透明プラスチック材で成形し、前ケース２３の内面に装飾シート３３を配置した形態を採ることができる。
【発明の効果】
【００２１】
本発明によれば、ファン３４の少なくともファンブレード３４ｂの表面に光触媒Ｃを設けて、ファンケース３６に組み付けた光源８０からの光で光触媒Ｃを励起し、その酸化還元反応によって有機物を分解し、雑菌類を殺菌する。したがって、ファン３４を清潔な状態に維持して衛生的にクリーンな乾燥風を吹き出し供給できる。光源８０から照射される紫外光によって、乾燥風に含まれる雑菌などを直接殺菌できる利点もある。
【００２２】
ファンケース３６に光源８０を組み付けてあると、本体ケース１などに特別な装着構造を設ける場合に比べて、光源８０の取り付け構造を簡素化できるので、部品点数がいたずらに増えて、温風乾燥機の組み立てコストが増加するのを解消できる。
【００２３】
ファンブレード３４ｂに光触媒Ｃを設けてあると、ファンブレード３４ｂの回転軌跡に向かって光源８０から励起光を照射すればよく、より少ない数の光源８０で光触媒Ｃを効率的に励起できるので、光触媒Ｃおよび光源８０を備えた温風乾燥機の構造を簡素化できる。空気との接触機会が最も多いファンブレード３４ｂの表面に光触媒Ｃが存在しているので、乾燥風に含まれるマイクロダストや有機物などを光触媒Ｃと接触させて、これらを効率的に殺菌および分解して、よりクリーンな乾燥風で髪乾燥等を行える。
【００２４】
ファンブレード３４ｂに臨む光源８０の発光部８６の先端面８６ａが、装着孔８９の内周縁まわりのファンケース３６の内壁面３６ａと面一状に設定されていると、光源８０に吸い込み風が衝突して乱流を発生することがなく、風切り音の騒音を効果的に抑えることができる。つまり、ファンケース３６に光源８０を組み付けてあるにもかかわらず、該光源８０にファン３４で吸い込まれた空気が衝突することに起因して、風切り音が発生する不具合がなく、温風乾燥機の静音化を効果的に図れる。
【００２５】
光源８０がファンブレード３４ｂに近接対向していると、ファンブレード３４ｂ上の光触媒Ｃに対して、より多くの光エネルギーを供給できる。したがって、光触媒Ｃの有機物に対する分解能や雑菌類に対する殺菌能などを効果的に発揮させることができる。
【００２６】
軸流型のファン３４を用い、複数個の光源８０が、ファン３４の回転軸８５の軸心方向に位置ずれ状態で配設されていると、光源８０からの励起光をファンブレード３４ｂの異なる部分に対して照射させることができる。したがって、単一の光源で拡散的に励起光を照射する場合に比べて、より強い光をファンブレード３４ｂに向かって照射できるので、光触媒Ｃの有機物に対する分解能や雑菌類に対する殺菌能が良好に発揮される。複数個の光源８０が、回転軸８５の軸心方向に沿うファンブレード３４ｂの存在領域に配設されていると、ファンブレード３４ｂに対して万遍無く励起光を照射できるので、光触媒Ｃによる分解能や殺菌能が、更にムラなく効率的に発揮される。
【００２７】
基板８２上に複数個の光源８０を実装してユニット化し、その光源ユニット８１をファンケース３６に装着する形式によれば、ファンケース３６に対して光源８０を容易に取り付けることができ、温風乾燥機の組み立て作業性の向上を図ることができる。
【００２８】
先の光源ユニット８１において、光源８０が発光部８６と、これの基端側の鍔部８７とを含み、基板８２をファンケース３６の外面にビス止め固定したとき、鍔部８７が基板８２でファンケース３６の外面に押し付けられるようにしてあると、ファンケース３６の装着孔８９に対する発光部８６の差し込み深さを確実に規制しながら、ファンケース３６に対して光源８０を遊動不能に確りと装着固定することができる。これにより、光源８０の発光部８６の先端面８６ａが装着孔８９の内周縁まわりと面一状になり、光源８０が不用意に遊動することもないので、風切り音の発生を確実に阻止でき、温風乾燥機の静音性の向上を図れる。
【００２９】
左右いずれかの分割ケース１ａ・１ｂにファンケース３６が固定されていると、送風ユニット３の全重量は、いずれか一方の分割ケース１ａ・１ｂのみで受け止め支持できる。この形態によれば、送風ユニット３の重量が両分割ケース１ａ・１ｂの対向接合面に加わって、両者１ａ・１ｂを分離させる方向に作用することがない。したがって、温風乾燥機に落下衝撃等が加わった場合でも、両分割ケース１ａ・１ｂが不用意に分離し難く、温風乾燥機の損傷防止に有利である。
【００３０】
本体ケース１を構成する両分割ケース１ａ・１ｂがこれの後方から規制リング２５を外嵌装着することで、不離一体的に結合されていると、落下衝撃で分割ケース１ａ・１ｂがバラバラになることをよく防止できる。また両分割ケース１ａ・１ｂが、これの前方から筒状の前ケース２３を外嵌装着することで不離一体的に結合されていると、落下衝撃等が加わった場合でも、両分割ケース１ａ・１ｂがバラバラになることをよく防止できる。
【００３１】
先の前ケース２３が透明プラスチック材で成形されており、前ケース２３の内面に装飾シート３３が配置されていると、外部から前ケース２３を介して装飾シート３３を見ることにより、深みのある呈色状態が得られる。必要に応じて色や模様が異なる装飾シート３３を用意しておくことにより、デザイン上の印象（色調）が異なる複数種のヘアードライヤーを装飾シート３３を変更するだけで手軽に提供することもできる。
【発明を実施するための最良の形態】
【００３２】
図１ないし図８は、本発明に係る温風乾燥機をヘアードライヤーに適用した実施例を示す。図２においてヘアードライヤーは、前後方向に長い筒状の本体ケース１と、これの下方に設けたグリップ部２とを備えている。
【００３３】
本体ケース１の内部は前後方向に沿う通風路Ｒに設定されている。通風路Ｒには、後方側から順に、乾燥風を送給する送風ユニット３、送風ユニット３から送出されて来る乾燥風を加熱するヒーター５、乾燥風にイオンを送給するイオン発生装置６などが装備されている。
【００３４】
グリップ部２は、本体ケース１の後方寄り下部に、本体ケース１から下方向に伸びる使用姿勢と、本体ケース１の下面に添う不使用姿勢との間にわたって軸７まわりに揺動可能に連結されている。グリップ部２内には、電源のオン・オフと風量制御とを兼ねるメインスイッチ９と、ヒーター５の駆動を止めて冷風を出すためのクールスイッチ１０とが組み付けられている。グリップ部２の前面には、メインスイッチ９のスイッチノブ１１と、クールスイッチ１０のスイッチボタン１２とが上下スライド可能に設けられている。
【００３５】
具体的には、スイッチノブ１１を下端の電源オフ位置から上方向にスライド操作することで、ヘアーセット、ヘアーケアー、ドライといったような、風量および加熱温度の異なる三種の温風を送給できる。クールスイッチ１０のスイッチボタン１２を押し込み操作すると、ヒーター５の駆動を止めて冷風を送給できる。スイッチボタン１２を上方のロック位置にスライド操作すると、クールスイッチ１０がオン状態のまま保留されて、冷風の送給を持続することができる。
【００３６】
図３、図４および図７において、本体ケース１の上面には、前後方向に長い表示パネル１３を組み付けてある。表示パネル１３には、前側から順にイオン送給状態を表示する第１表示灯１５と、イオン発生装置６への通電状態を切り換えるスライドノブ１６と、目詰まり表示用の第２表示灯１７とを順に組み込んである。図４において表示パネル１３の内面には、スライドノブ１６で切り換え操作されるイオンスイッチ１９や第１・第２表示灯１５・１７用のＬＥＤチップ２０・２１などを実装した回路基板２２が配されている。
【００３７】
図３において乾燥風の風導体となる本体ケース１は、左右一対の半割り型の分割ケース１ａ・１ｂを突き合わせて結合してある。突き合わせた状態の両分割ケース１ａ・１ｂには、これらの前方から円筒形の前ケース２３を外嵌装着するとともに、その後方から円形リング状の規制リング２５を外嵌装着することにより、両分割ケース１ａ・１ｂを不離一体的に結合してなる。
【００３８】
両分割ケース１ａ・１ｂを結合した状態において、本体ケース１の後端に吸込口２６が形成され、前端に吹出口２７が形成される。左右の分割ケース１ａ・１ｂの下面には、それぞれグリップ部２用の連結枠２９が一体に形成されている。吹出口２７には、プレス成形したフロントグリル３０と、乾燥風を扁平に絞り込むノズル３１（図２参照）とが装着されている。
【００３９】
本体ケース１の前端は、吹出口１７側へ向かって次第に開口寸法が小さくなる先すぼまりのテーパー状に形成されている。本体ケース１の先端の外面には、前ケース２３の外嵌装着を許すため、肉厚が薄くなるように嵌合面３２が段付き状に形成されている。この嵌合面３２は、上方における前後の幅寸法が小さく、下方に行くに従って前後の幅寸法が大きくなるように設定されている。前ケース２３は、本体ケース１と同様に吹出口２７側に向かって先すぼまり状に形成した透明プラスチック材製のテーパー筒体である。前ケース２３の外形形状は、先の嵌合面３２のそれと一致しており、嵌合面３２に前ケース２３を嵌合装着したとき、本体ケース１の外面と前ケース２３の外面とがほぼ面一状に連続する。
【００４０】
以上のように、本体ケース１の前端は、その嵌合面３２と前ケース２３とで内外二重筒構造になる。これを利用して、両ケース１・２３間に装飾シート３３を介装し、外観上の装飾性アップを図っている。
【００４１】
装飾シート３３は、嵌合面３２の展開形状と一致するように切断された柔軟な合成樹脂製の着色シート材からなり、前ケース２３の外嵌装着に先立って、嵌合面３２に巻き付け装着する。これにて、外部から透明の前ケース２３を介して装飾シート３３を見ることにより、深みのある呈色状態が得られる。色や模様が異なる装飾シート３３を用意しておくことにより、簡単にデザイン上の印象が異なる複数種のヘアードライヤーをシリーズ商品化することができる。
【００４２】
図１および図４において送風ユニット３は、軸流型のファン３４と、ファン３４を回転駆動するモーター３５と、これら両者３４・３５を収容する円筒状のファンケース３６とを含む。短筒状のファンケース３６の内部中央には、図４に示すごとくモーターホルダー３７が一体にプラスチック成形されており、モーターホルダー３７とファンケース３６の円筒周壁との間に、いくつか（７個）の整流翼３８が両者３７・３６をつなぐ状態で一体に形成されている。
【００４３】
図６においてファンケース３６の外周面、図示例では上下に締結ボス３９・３９を張り出し形成してある。一方（右側）の分割ケース１ｂの上下２箇所にも、該締結ボス３９に対応するねじボス４０・４０が一体的に張り出し形成してある。これらねじボス４０にファンケース３６側の締結ボス３９を位置合わせしたうえで、締結ボス３９の外面側からビス４０ａをねじ込むことにより、一方の分割ケース１ｂに送風ユニット３が装着固定されている。
【００４４】
このように、左右の一方の分割ケース１ｂに送風ユニット３を装着して、この分割ケース１ｂだけで送風ユニット３の全重量を受け止めるようにしてあると、送風ユニット３の重量が両分割ケース１ａ・１ｂの対向接合面に加わり、両者１ａ・１ｂを分離させる方向に作用することがなく、本体ケース１が不用意に分離することを阻止できる。このことは後述のように、加熱手段、イオン発生装置６、光源ユニット８１などを送風ユニット３に組み付けて、該ユニット３が重量物となっている場合に、とくに有用である。
【００４５】
図３および図４において送風ユニット３は、ヒーター５を含む加熱手段と一体化した状態で本体ケース１に組み込まれる。加熱手段は、前すぼまり円筒状の遮熱筒４１と、遮熱筒４１の内部において放射状に組まれた絶縁枠４２と、絶縁枠４２まわりに螺旋状に巻き付けたヒーター５とを有する。遮熱筒４１の後端はファンケース３６につながり、遮熱筒４１の前端は本体ケース１の吹出口２７の近傍周壁で挟み固定されている。
【００４６】
各絶縁枠４２の前部中央はコ字状にくり抜かれており、このくり抜き部分にイオン発生装置６が配されている。図４においてイオン発生装置６は、耐熱プラスチック製の円筒状の断熱ケース４３と、断熱ケース４３内に収容されてユニット部品化された放電電流調整器４５と、２個の放電部４６とを含む。
【００４７】
図８において放電部４６は、円錐カップ状の電極ホルダー４７に固定した左右一対の針状の放電電極４９・４９と、各放電電極４９まわりを囲むリング状の対向電極５０と、両電極４９・５０間を絶縁する誘電筒５１とを含む。２個の放電部４６は、左右に隣接する状態で配置し、これら放電部４６の前方にプラスチック製の防護枠５１を配置する。防護枠５１は、図５に示すようにフロントグリル３０に係合固定してあり、左右の放電部４６に対応してイオン放出用の通路５２を有する。符号５３は、通路５２の内部に設けた放電電極４９を防護するための板状体である。
【００４８】
放電電流調整器４５は、整流回路およびパルス発生回路などの回路構成部品と、トランスなどを樹脂モールド内に封入して形成してあり、断熱ケース４３とともに絶縁枠４２のくり抜き部分に挿嵌固定される。トランスは放電部に−４ＫＶの高電圧を印加する。イオン発生装置６は、メインスイッチ９がオン操作されている状態下で、イオンスイッチ１９がオン操作されたときにマイナスイオンを生成する。このときは、表示パネル１３の第１表示灯１５が点灯する。
【００４９】
本体ケース１の吸込口２６の開口外面には、図５に示すように、カップ状のろ過フレーム５５と、フィルター５６と、フィルター５６の外面を覆う吸込グリル５７とが装着されている。
【００５０】
ろ過フレーム５５は、図５に示すごとくカップ状のプラスチック成形品であり、その外周面全体が通気自在な円筒構造の格子枠５９で形成してある。図１において、ろ過フレーム５５の前端側の開口部分には、吸込グリル５７を受け止める第１段部６０と、フィルター５６を受け止める第２段部６１とを多段状に形成してある。
【００５１】
図９に示すように第１段部６０の内面４箇所には、締結ボス６２を一体に設ける。第２段部６１の内面には位置決め壁６１ａが周回状に形成されており、その外面にフィルター５６の開口縁を受け入れる装着溝６１ｂが周回状に形成してある。位置決め壁６１ａは、ファンケース３６の後端開口に張り出し形成したフランジ壁３６ａに外嵌して、ろ過フレーム５５とファンケース３６との中心軸線を一致させる。
【００５２】
ろ過フレーム５５は、規制リング２５とともに本体ケース１に共締め固定する。このため、図５および図３に示すごとく、第１段部６０と規制リング２５の内面４箇所には、それぞれ締結ボス６２・６３を一体に設ける。一方、本体ケース１の後開口の内面４箇所にはねじボス６５を一体に設ける。規制リング２５の前縁には、本体ケース１と嵌係合する溝２５ａを備える。
【００５３】
図９に示すように、規制リング２５の締結ボス６３と、ろ過フレーム５５の締結ボス６２とを記載順にねじボス６５に外嵌装着し、第１段部６０の外面側からビス６６を締結ボス６２・６３にねじ込むことにより両ボス６２・６３を固定して、規制リング２５およびろ過フレーム５５を本体ケース１と一体化できる。本体ケース１を構成する左右の分割ケース１ａ・１ｂには、それぞれ先のねじボス６５を２個ずつ設けてあり、これらねじボス６５に筒構造のろ過フレーム５５を締結固定することにより、分割ケース１ａ・１ｂが分離しないよう結合される。
【００５４】
図５においてフィルター５６は、プラスチック成形品からなるフィルター枠６７と、フィルター枠６７の外周面に配置されるろ過エレメント６９とで構成する。フィルター枠６７は、前端のリング枠７０と、後端の円形の内奥壁７１とを８個の前後向きのリブ７２で繋いで丸籠状に形成してある。ろ紙エレメント６９は、不織布やろ紙を素材にして形成してあり、フィルター枠６７の外周面に貼り付け固定されている。
【００５５】
長期使用に伴って、フィルター５６のろ過エレメント６９が目詰まりすると、目詰まりした分だけ空気の吸い込み量が減少する。その結果、ヒーター５で過熱された空気の温度が上昇するので、この温度上昇をバイメタル６８で検知し、第２表示灯１７のＬＥＤチップ２１を赤色に点滅表示させる（図８参照）。これにて、フィルター５６の清掃あるいは交換の必要があることを使用者に警告する。
【００５６】
図５において吸込グリル５７は、丸籠状のプラスチック成形品からなり、前後方向に連続する放物線状のリブ７３と、各リブ７３を繋ぐリング枠７５とを一体に備えている。図１および図４において吸込グリル５７は、本体ケース１の吸込口２６に内嵌する状態で装着し、その後端の装着座７６に設けたグリルロック機構で、ろ過フレーム５５に対して着脱自在に装着できる。
【００５７】
グリルロック機構は、装着座７６の中央に後面側から組み付けたロックノブ７７と、吸込グリル５７の内面側からロックノブ７７に締結固定されるロック体７９とを有する。ロックノブ７７を回転操作することで、ろ過フレーム５５に対するロック体７９の係合状態を解除操作して、吸込グリル５７およびフィルター５６を取り外すことができる。
【００５８】
かかる構造のヘアードライヤーにおいて、本発明では、ファン３４の表面全体、つまりファンボス３４ａおよびファンブレード３４ｂに、これらの表面の全てを覆う状態で光触媒Ｃを薄膜状に形成した（図１参照）。具体的には、銀の微粉末を二酸化チタンに担持させ、その微粉末を溶解樹脂中に混合して処理原液を形成し、この処理原液にファン３４を浸漬させたのち、溶解樹脂を固化することにより、ファン３４の表面全体に光触媒Ｃを薄膜状に形成した。尤も、光触媒Ｃ（酸化チタン微粉末）を混入した樹脂を用いてファン３４を成形してもよい。
【００５９】
図１に示すごとく、ファン３４の回転周面に近接対向するファンケース３６の壁には、光触媒Ｃを励起するための光源８０を配置する。ここではファンケース３６の左右の外面に、２個の光源８０・８０を有する一対の光源ユニット８１・８１をそれぞれ装着し、左右方向からファン３４に対して励起光が照射されるようにした。
【００６０】
各光源ユニット８１は、四角平板状の基板８２と、該基板８２の内面側の前後に配された２個の光源８０・８０と備える。各光源ユニット８１において２個の光源８０・８０は、ファン３４の回転軸８５の軸心方向（前後方向）に列設されている。
【００６１】
各光源８０は、一端から紫外光を発する円柱状の発光部８６と、発光部８６の基端側に形成された鍔部８７とを備える紫外線発光ＬＥＤである。光源８０に対応して、ファンケース３６には装着孔８９が内外貫通状に設けられており、各光源８０の発光部８６からファンブレード３４ｂおよびファンボス３４ａに向かって紫外光を照射すると、照射範囲に設けられた光触媒Ｃが励起される。ここでは図１に示すごとく、ファン回転軸８５の軸心方向に沿うファンブレード３４ｂの存在領域において２個の光源８０・８０から照射される励起光がファンブレード３４ｂの前半分と後半分の異なる部分に対して万遍なく照射されるようにした。
【００６２】
各光源ユニット８１は、２個の光源８０・８０が内向きに指向する状態でファンケース３６の外面に装着する。詳しくは、各光源ユニット８１は、ファンケース３６の左右の各側面に設けた前後の各装着孔８９にこれの外側から各発光部８６をそれぞれ嵌め込んだうえで、基板８２をファンケース３６の外面にビス止めすることで装着固定する。
【００６３】
このとき鍔部８７が装着孔８９の外周縁まわりのファンケース３６の外面に受け止められることで、装着孔８９に対する発光部８６の差し込み限界が規制される。加えて、鍔部８７が基板８２でファンケース３６の外面に強固に押し付けられることにより、各光源８０をファンケース３６に対して揺動不能に確りと装着固定できる。図１および図６において、符号９０は、光源ユニット８１を装着固定するためのビス、符号９１はファンケース３６の外面に陥没状に形成されたねじ穴、符号９２は基板８２に設けられたビス用の貫通孔を示す。
【００６４】
光源８０からの励起光を受けた光触媒Ｃは、その表面で発生する酸化還元反応によって有機物を分解し雑菌類を殺菌する。これにて、ファン３４の表面にマイクロダスト等が付着するのを防ぎ、ファン３４を長期にわたって清潔に保つことができる。
【００６５】
また、乾燥風中に浮遊する微小有機物や雑菌類などは、光源８０から発せられる紫外光によって直接殺菌することができる。光触媒Ｃは励起されることによって、その表面からラジカルなＯＨ基が発生し、それが頭皮に吹き付けられるので、頭皮をラジカルＯＨ基で殺菌できる。二酸化チタンに担持された銀は、不使用状態においてファン３４の表面に付着した有機物を殺菌する。
【００６６】
その際、上記のように空気との接触機会が最も多いファンブレード３４ｂの表面に光触媒Ｃを設けてあると、乾燥風に含まれるマイクロダストや有機物などを光触媒Ｃと効率良く接触させて、これらを効果的に殺菌および分解して、よりクリーンな乾燥風で髪乾燥を行える。
【００６７】
ファン３４を内蔵するファンケース３６に光源８０を装着してあると、ファン３４に近接対向する位置から励起光を照射することが容易で、ファンブレード３４ｂ上の光触媒Ｃに対して、より多くの光エネルギーを供給できる。したがって、光触媒Ｃの有機物に対する分解能や雑菌類に対する殺菌能などが効果的に発揮される。本体ケース１内などに特別な装着構造を設ける場合に比べて、光源８０の取り付け構造を簡素化できるので、部品点数が増えて、ヘアードライヤーの組み立てコストが増加するのを解消できる点でも優れている。
【００６８】
光源８０が光源ユニット８１としてユニット部品化されていると、装着孔８９内に光源８０の発光部８６を嵌め込んでビス９０を締結するだけで、光源８０をファンケース３６に対して容易に取り付けることができる。
【００６９】
各光源ユニット８１に設けた２個の光源８０がファン３４の回転軸８５の軸心方向に位置ずれ状態で配されていると、各光源８０から照射される励起光がファンブレード３４ｂの前半分と後半分との異なる部分に対して照射されるので、単一の光源で拡散的に励起光を照射する場合に比べて、より強い光をファンブレード３４ｂに向かって照射できる。その結果、光触媒Ｃの有機物に対する分解能や雑菌類に対する殺菌能が良好に発揮される。
【００７０】
上記のように光源ユニット８１を装着固定した状態において、図６に示すように、光源８０の発光部８６の先端面８６ａが、装着孔８９の内周縁まわりのファンケース３６の内壁面３６ａと段差の無い面一状となるように設定されている点が着目されるべきである。
【００７１】
具体的には、図１および図６に示すように、装着孔８９の内周縁まわりのファンケース３６の肉厚寸法と、発光部８６の突出高さ寸法とを同一に設定するとともに、発光部８６の先端面８６ａの中央部分を、ファンケース３６の内壁面３６ａと同一の曲率半径寸法で以て僅かにＲ状に凹ませてある。このように、光源８０の発光部８６が装着孔８９の内周縁まわりのファンケース３６の内壁面と面一状となるようにしてあると、ファンケース３６内での風の流れが円滑で乱流が発生せず、風切り音の騒音を低く抑えて、ヘアードライヤーの静音化を有効に図れる。
【００７２】
可視光発光ＬＥＤ８３は、光源８０と同期して点灯するものであり、ファンケース３６の右側面に装着の光源ユニット８１の基板８２上に組み付けられている。図３に示すように、ＬＥＤ８３と対向する本体ケース１の右側面には、段付き受け面９５を有する凹部９６を形成して、該凹部９６に表示パネル９７が嵌め込み装着されている。この表示パネル９７は、透明プラスチック材のレンズとして形成してあり、ＬＥＤ８３からの照明光を集光し、本体ケース１外へ放射する。符号９９は、受け面９５に設けられた通孔であり、この通孔９９を介してＬＥＤ８３が表示パネル９７に向けて光を照射する。
【００７３】
光源８０から発せられた励起光である紫外線光が、本体ケース１の外側へ放射されると、紫外線光が人体皮膚に作用するおそれがあるため、安全上の問題がある。その点、本実施例のように、光源８０と同期して点灯する可視光照射の通常のＬＥＤ８３を設けて、このＬＥＤ８３を点灯させることにより、間接的に光源８０が照射状態（駆動状態）にあることを使用者に認識させるようにしてあると、上述のような安全上の問題が生じることはない。
【００７４】
本発明の光源８０は、図示例の紫外線発光ＬＥＤに限定されず、例えばリング状に曲げられた蛍光灯管状の小型のブラックライトを光源８０として適用してもよい。
【図面の簡単な説明】
【００７５】
【図１】本発明に係る温風乾燥機の要部の横断平面図である。
【図２】温風乾燥機の側面図である。
【図３】温風乾燥機の分解斜視図である。
【図４】温風乾燥機の縦断側面図である。
【図５】フィルター構造の分解斜視図である。
【図６】温風乾燥機の縦断正面図である。
【図７】温風乾燥機の上面図である。
【図８】温風乾燥機を構成する電装品の概念図である。
【図９】ろ過フレームの取付構造を示す断面図である。
【符号の説明】
【００７６】
１  本体ケース
１ａ・１ｂ  本体ケースを構成する分割ケース
３  送風ユニット
５  ヒーター
２３  前ケース
２５  規制リング
２６  吸込口
２７  吹出口
３３  装飾シート
３４  ファン
３４ａ  ファンブレード
３５  モーター
３６  ファンケース
３６ａ  ファンケースの内壁面
８０  光源
８１  光源ユニット
８２  基板
８５  ファンの回転軸
８６  光源の発光部
８６ａ  光源の発光部の先端面
８７  鍔部
８９  装着孔
Ｃ  光触媒
Ｒ  通風路
【図１】
2006305084.tif 000003
【図２】
2006305084.tif 000004
【図３】
2006305084.tif 000005
【図４】
2006305084.tif 000006
【図５】
2006305084.tif 000007
【図６】
2006305084.tif 000008
【図７】
2006305084.tif 000009
【図８】
2006305084.tif 000010
【図９】
2006305084.tif 000011